(57)【要約】【課題】所望のエラーまたはアラームをユーザに確実に認識させるトランスポートアナライザを実現することにある。【解決手段】トランスポートネットワークや伝送装置で発生したエラーまたはアラームの少なくとも一方を表示画面に表示するトランスポートアナライザに改良を加えたものである。本装置は、エラーやアラームの項目名を表示画面上の第１のウィンドウに表示する項目名表示手段と、エラーやアラームの項目別に優先順位を記憶する順位記憶手段と、この順位記憶手段の優先順位に基づいて、項目名表示手段で表示されエラーやアラームが発生している項目の中からいずれか一つの項目を選択する選択手段と、この選択手段が選択した項目の詳細な情報を表示画面の第２のウィンドウに表示する詳細情報表示手段とを設けたことを特徴とするものである。【選択図】図１
2010074326.tif 000002
【特許請求の範囲】
【請求項１】
トランスポートネットワークや伝送装置で発生したエラーまたはアラームの少なくとも一方を表示画面に表示するトランスポートアナライザにおいて、
前記エラーや前記アラームの項目名を前記表示画面上の第１のウィンドウに表示する項目名表示手段と、
前記エラーや前記アラームの項目別に優先順位を記憶する順位記憶手段と、
この順位記憶手段の優先順位に基づいて、前記項目名表示手段で表示され前記エラーや前記アラームが発生している項目の中からいずれか一つの項目を選択する選択手段と、
この選択手段が選択した項目の詳細な情報を前記表示画面の第２のウィンドウに表示する詳細情報表示手段と
を設けたことを特徴とするトランスポートアナライザ。
【請求項２】
選択手段は、最も優先順位が高い項目を選択することを特徴とする請求項１記載のトランスポートアナライザ。
【請求項３】
所望の項目をマスクするマスク手段を設け、
前記選択手段は、前記マスク手段でマスクされた項目を除いた項目のうちで、最も優先順位が高い項目を選択することを特徴とする請求項１記載のトランスポートアナライザ。
【発明の詳細な説明】
【技術分野】
【０００１】
本発明は、トランスポートネットワーク上を伝送される通信フレーム、伝送装置から送信される通信フレーム、伝送装置で受信される通信フレーム等を解析し、トランスポートネットワークや伝送装置で発生したエラーまたはアラームの少なくとも一方を検出し、検出したエラーまたはアラームを自機器に設けられる表示画面に表示するトランスポートアナライザに関し、詳しくは、所望のエラーまたはアラームをユーザに確実に認識させるトランスポートアナライザに関するものである。
【背景技術】
【０００２】
トランスポートネットワークの保守・管理や研究・開発等では、ＩＴＵ−Ｔ（International Telecommunication Union-Telecommunication standardization sector）等で規定された伝送方式（例えば、ＳＤＨ／ＳＯＮＥＴ、ＯＴＮ等）の規格に沿って伝送が行なわれいるかを測定・解析する必要があり、このような測定・解析に用いられるものがトランスポートアナライザである（例えば、非特許文献１参照、非特許文献２参照）。
【０００３】
トランスポートアナライザは、伝送装置の送信、受信、送受信に関する測定・解析や実際のトランスポートネットワークそのものの測定・解析等も行なう。
【０００４】
トランスポートアナライザ（以下、アナライザと略す）は、トランスポートネットワークを流れる通信フレームの様々な測定・解析を行なって、エラーやアラームを出力（例えば、表示画面に表示）する。ＳＤＨ／ＳＯＮＥＴやＯＴＮ等では、検出すべきエラー／アラームがＩＴＵ−Ｔの規格で規定されており、その項目数（種類）は、数十〜数百個存在する。
【０００５】
一方、アナライザの表示画面は、筐体の前面に設けられることが多いが、装置自体の小型化の要求もあり、１０．４インチ程度の大きさである。
【０００６】
そして、表示画面には、エラー／アラームの有無やエラー／アラームの詳細な情報のみならず、通信フレームの測定結果・解析結果等も表示する必要がある。そのため、エラー／アラームに関する情報は、表示画面上では各項目名のみを表示させることが多い。
【０００７】
ここで、図４は、従来のアナライザの表示画面の一例を示した図である。図４において、表示画面上には、例えば、３個のウィンドウが表示され、表示画面の左端の狭い領域にウィンドウＷ１が表示され、表示画面の上側、下側の大きな領域にウィンドウＷ２，Ｗ３が表示される。
【０００８】
そして、小さなウィンドウＷ１に数十〜数百のエラー／アラーム情報の項目名のみが表示され、大きなウィンドウＷ２，Ｗ３に通信フレームの測定結果・解析結果やエラー／アラームの詳細な情報等が表示される。
【０００９】
通常の定常状態では、ウィンドウＷ２，Ｗ３にネットワークの伝送特性を表示させている。一方、ネットワークの伝送特性に異常が生じている場合、ユーザは、ウィンドウＷ１の非常に多数の項目の中からエラー／アラームが生じている項目（例えば、エラー／アラームが生じている項目は、赤色で表示）を探し出し、異常の主原因と思われるエラー／アラームの項目を選択し、選択した項目の詳細なエラー／アラーム情報をウィンドウＷ２に表示させる。
【００１０】
【非特許文献１】柳澤幸樹、他３名、「40Gbit/s 次世代光IPトランスポートアナライザNX4000」、横河技報、横河電機株式会社、２００７年１０月２２日発行、Ｖｏｌ．５１、Ｎｏ．４、ｐ．３３−３６
【非特許文献２】柳澤幸樹、他３名、「40GbpsトランスポートアナライザNX4000の測定アプリケーション」、横河技報、横河電機株式会社、２００８年７月２５日発行、Ｖｏｌ．５２、Ｎｏ．３、ｐ．１３−１６
【発明の開示】
【発明が解決しようとする課題】
【００１１】
ＯＴＮフレームの受信側での測定の場合、アラームの項目としては、例えば、OTU3 LOF, OTU3 OOF, OTU3 LOM, OTU3 OOM, OTU3 AIS, ODU3 LCK, ODU3 OCI,ODU3 AIS, OPU3 PLM, SM-TIM, SM-BIAE,SM-BDI, SM-IAE, ODU3 TCM(1-6) TIM, ODU3 TCM(1-6) BIAE, ODU3 TCM(1-6) BDI, ODU3 TCM(1-6) IAE, ODU3 TCM(1-6) LTC, ODU3 PM-TIM, ODU3 PM-BDI等があり、エラーの項目としては、例えば、OTU3 FAS, SM-BIP8, ODU3 PM-BIP8, SM-BEI,ODU3 PM-BEI, ODU3 TCM(1-6) BIP8, ODU3 TCM(1-6) BEI, ODU2(a-d) PM-BIP8, ODU2(ad) TCM(1-6) BIP8, ODU2(a-d) PM-BEI, ODU2 (a-d) TCM(1-6) BEI, Corrected FEC error, Corrected 0, Corrected 1, Uncorrected FEC等がある。
【００１２】
このようにＯＴＮフレームの受信側での測定のみでさえ、非常に多数のエラー／アラームの項目がある。そして、ユーザは、伝送特性の測定結果等をみて、通信回線（トランスポートネットワーク）、伝送装置等での異常状態に関係しそうなエラー／アラームの項目を小さなウィンドウＷ１から選択し、ウィンドウＷ２に詳細なエラー／アラーム情報を表示させている。
【００１３】
しかしながら、例えば、優先順位が「Ｅｒｒ１」＞「Ｅｒｒ２」＞「Ｅｒｒ３」＞「Ｅｒｒ４」という４種類のエラーの項目があった場合で説明する。なお、「Ｅｒｒ１」が最も優先順位が高い。そして、ユーザが、「Ｅｒｒ３」を選択してウィンドウＷ２に拡大表示させた場合に、より優先順位の高い「Ｅｒｒ１」が発生したとしても、ウィンドウＷ１の項目名が非常に小さいため、「Ｅｒｒ１」が発生したことに気づかず、認識できないという問題があった。
【００１４】
また、通信規格に沿ってアラーム／エラーの検出を行なうため、優先順位の高いアラーム／エラーが発生している場合には、優先順位の低いエラーが発生しない場合がある（実際にはエラーが発生しているが、規格に従うと発生していないことになる）。
【００１５】
そのため、例えば、「Ｅｒｒ３」を選択してウィンドウＷ２に拡大表示させた場合、より優先順位の高い「Ｅｒｒ１」が発生している間は、「Ｅｒｒ３」が発生しない。そして、ウィンドウＷ１の小さな項目で「Ｅｒｒ１」が発生したことにユーザが気づかないと、なんらエラー／アラームが発生していないという誤った認識をユーザに対して与えてしまうという問題があった、
【００１６】
さらに、上記のようにエラー／アラームの優先順位は規格で定まっているが、ユーザが、優先順位を正確に認識していない場合もあり、誤った優先順位でエラー／アラームを表示させ、通信回線、伝送装置等の異常状態の解析ができないという問題があった。
【００１７】
そこで本発明の目的は、所望のエラーまたはアラームをユーザに確実に認識させるトランスポートアナライザを実現することにある。
【課題を解決するための手段】
【００１８】
請求項１記載の発明は、
トランスポートネットワークや伝送装置で発生したエラーまたはアラームの少なくとも一方を表示画面に表示するトランスポートアナライザにおいて、
前記エラーや前記アラームの項目名を前記表示画面上の第１のウィンドウに表示する項目名表示手段と、
前記エラーや前記アラームの項目別に優先順位を記憶する順位記憶手段と、
この順位記憶手段の優先順位に基づいて、前記項目名表示手段で表示され前記エラーや前記アラームが発生している項目の中からいずれか一つの項目を選択する選択手段と、
この選択手段が選択した項目の詳細な情報を前記表示画面の第２のウィンドウに表示する詳細情報表示手段と
を設けたことを特徴とするものである。
請求項２記載の発明は、請求項１記載の発明において、
選択手段は、最も優先順位が高い項目を選択することを特徴とするものである。
請求項３記載の発明は、請求項１記載の発明において、
所望の項目をマスクするマスク手段を設け、
前記選択手段は、前記マスク手段でマスクされた項目を除いた項目のうちで、最も優先順位が高い項目を選択することを特徴とする請求項１記載のトランスポートアナライザ。
【発明の効果】
【００１９】
本発明によれば、以下のような効果がある。
選択手段が、順位記憶手段の優先順位を参照し、現在発生しているエラーやアラームの項目の中から所望の優先順位の項目を選択する。そして、詳細情報表示手段が、選択手段で選択された項目に対応する詳細なエラーやアラームに関する情報を表示画面上の第２のウィンドウに表示する。これにより、所望の優先順位のエラーやアラームをユーザに確実に認識させることができる。従って、ユーザが選択する手間を省くことができる共に通信回線や伝送装置の異常の認識を確実に行なうことができる。さらに、通信回線や伝送装置が異常となっている主原因を容易に認識することができる。
【発明を実施するための最良の形態】
【００２０】
以下図面を用いて本発明の実施の形態を説明する。
［第１の実施例］
図１は、本発明の第１の実施例を示した構成図である。図１において、入力部１０は、トランスポートネットワークや伝送装置等の通信フレームが入力される。データ処理部２０は、通信フレームを変換した信号が入力部１０から入力され、通信フレームの測定、解析を行なうと共に、通信規格に沿ってエラーやアラームを検出し、検出したエラーやアラームの解析も行なう。データメモリ３０は、データ処理部２０で処理された測定結果、解析結果、検出されたエラー／アラームに関する情報を格納する。
【００２１】
順位記憶手段４０は、エラーやアラームそれぞれの項目別に優先順位を記憶する。この優先順位は、通信規格で規定されているものである。選択手段５０は、データメモリ３０に記憶されるエラー、アラームに関する情報と、順位記憶手段４０が記憶する優先順位とを読み出し、優先順位に基づいて読み出したエラーやアラームの項目の中からいずれか一つの項目を選択する。
【００２２】
表示処理部６０は、項目名表示手段６１、詳細情報表示手段６２を有し、データメモリ３０の測定結果、解析結果、エラー／アラームに関する情報の読み出しや、選択手段５０で選択されたエラー／アラームの項目が入力され、表示画面７０に測定結果、解析結果、エラー／アラームに関する情報等を表示画面７０に表示する。
【００２３】
項目名表示手段６１は、エラーやアラームの項目名を表示画面７０に表示すると共に、データメモリ３０を参照し、データ処理部２０で検出されたエラー／アラームの項目名の表示を変更する。
【００２４】
詳細情報表示手段６２は、選択手段５０が選択した項目に対応するエラー／アラームに関する詳細な情報をデータメモリ３０から読み出し、表示画面７０に表示する。
【００２５】
表示画面７０は、装置本体の筐体の前面に設けられる。
【００２６】
このような装置の動作を説明する。
表示処理部６０が、例えば、表示画面７０を分割し、例えば、図４に示すような配置で３個のウィンドウＷ１〜Ｗ３を生成し、表示する。そして、項目名表示手段６１が、小さなウィンドウＷ１にあらかじめ規定されているエラー／アラームの項目名を一覧表示させる。もちろん、表示画面７０自体が１０インチ程度であれば、多数の項目名を表示するため、１個あたりの項目名を表示する領域（ボックス）の大きさは、数ｍｍ×数ｃｍ程度の非常に小さな長方形になる。
【００２７】
そして、操作部（図示せず）から測定開始が指示されると、入力部１０が、通信フレームを後段のデータ処理部２０が処理できるように通信フレームを変換する。例えば、通信フレームが光信号であれば、光信号を電気信号に変換したり、変調されている通信フレームの復調、アナログ・デジタル変換等を行なって、データ処理部２０に出力する。
【００２８】
さらに、データ処理部２０が、復調、ＡＤ変換されたデータのデータ処理を行なって、例えば、伝送遅延時間、ビットエラー、マッピング等の伝送特性の測定、解析を行なうと共に、通信規格に規定されたエラー／アラームの各項目のエラー／アラーム検出をし、検出したエラー／アラームの解析を行なう。そして、データ処理部２０が、伝送特性の測定結果、解析結果、検出結果、検出したエラー／アラームの解析結果等をデータメモリ３０に格納する。
【００２９】
そして、表示処理部６０が、データメモリ３０の処理結果を読み出し、大きなウィンドウＷ２，Ｗ３に伝送特性などの測定結果・解析結果を表示する。また、項目名表示手段６１が、データメモリ３０を参照し、検出されたエラー／アラームに対応する項目名の表示を変え、検出されたなかった項目名と差別化して表示する。例えば、項目名を赤色にしたり、項目名が表示される領域（ボックス）全体を赤色等に変更する。なお、複数のエラー／アラームが検出された場合、それらに対応する全ての項目名の表示を変更する。
【００３０】
一方、選択手段５０が、データメモリ３０と順位記憶手段５０とを参照し、検出されたエラー／アラームの項目のなかから、最も優先順位の高いエラー／アラームの項目を選択し、選択した項目名を詳細情報表示手段６２に出力する。
【００３１】
これによって、詳細情報表示手段６２が、選択された項目に対応するエラー／アラームの詳細な解析結果をデータメモリ３０から読み出し、表示画面７０の大きなウィンドウＷ２に表示させる。
【００３２】
ここで、図２は、図１に示す装置の表示画面７０の表示例を示した図である。図２において、画面左端に小さな第１のウィンドウＷ１が表示され、複数種類のエラー／アラームの項目名が表示されている。また、第１のウィンドウＷ１では、項目名表示手段６１が、検出されたエラー／アラームの項目名の領域を赤く表示している。図２では、一例として、項目名ＢＥＩ（符号ＥｒｒＡ）、項目名ＰＬＭ（符号ＥｒｒＢ）の２個が赤く表示されている。
【００３３】
そして、優先順位では、「ＢＥＩ」＞「ＰＬＭ」なため、詳細情報表示手段６２が、第２のウィンドウＷ２に優先順位が高い「ＢＥＩ」に関する詳細な情報を、第２のウィンドウＷ２いっぱいに拡大して表示している。
【００３４】
画面下側の第３のウィンドウＷ３は、ユーザによって設定された測定結果、解析結果等が表示される。
【００３５】
もちろん、「ＢＥＩ」、「ＰＬＭ」の双方よりも優先順位の高いエラー／アラームが検出された場合、選択手段５０の選択結果に基づいて、最も優先順位の高い項目の詳細なエラー／アラーム情報を、詳細情報表示手段６２が、データメモリ３０から読み出して、第２のウィンドウＷ２に表示する。
【００３６】
このように、選択手段５０が、順位記憶手段４０の優先順位を参照し、現在発生しているエラー／アラームの項目の中から最も優先順位が高い項目を選択する。そして、詳細情報表示手段６２が、選択手段５０で選択された項目に対応する詳細なエラー／アラームに関する情報をデータメモリ３０から読み出し表示画面７０上の大きな第２のウィンドウＷ２に表示する。これにより、優先順位が高いエラーやアラームをユーザに確実に認識させることができる。従って、エラー／アラームが小さく表示された項目名のなかから優先順位の高い項目名を、ユーザが選択する手間を省くことができると共に通信回線や伝送装置の異常の認識を確実に行なうことができる。
【００３７】
また、詳細情報表示手段６２が、最も優先順が高い項目を表示画面７０に表示するので、通信回線や伝送装置が異常となっている主原因を容易に認識することができる。
【００３８】
［第２の実施例］
図３は、本発明の第２の実施例を示した構成図である。ここで、図１と同一のものには同一符号を付し、説明を省略する。図３において、マスク手段８０が新たに設けられる。マスク手段８０は、エラー／アラームのなかから所望の項目をマスクし、マスクした項目を選択手段５０に出力する。
【００３９】
このような装置の動作を説明する。図１に示す装置と異なる動作を主に説明する。
ユーザが、操作部（図示せず）からマスク手段８０に対し、マスクすべきエラー／アラームの項目名を設定する。例えば、４種類のエラー「Ｅｒｒ１」〜「Ｅｒｒ４」で説明する。優先順位は、「Ｅｒｒ１」＞「Ｅｒｒ２」＞「Ｅｒｒ３」＞「Ｅｒｒ４」であり、「Ｅｒｒ１」が最も優先順位が高いものとする。
【００４０】
例えば、エラー／アラームの項目で「Ｅｒｒ２」が、マスク手段８０に設定されたとする。そして、例えば、データ処理部２０でエラー「Ｅｒｒ２」、「Ｅｒｒ３」、「Ｅｒｒ４」が検出され、その情報がデータメモリ３０に格納される。そして、選択手段５０が、データメモリ３０から検出されたエラーの項目「Ｅｒｒ２」、「Ｅｒｒ３」、「Ｅｒｒ４」を読み出し、順位記憶手段４０の優先順位を読み出す。さらに、マスク手段８０でマスクされた項目「Ｅｒｒ２」を読み出す。その結果、最も優先順位高いエラー／アラームの項目は「Ｅｒｒ２」だが、マスク手段８０でマスクされた項目も「Ｅｒｒ２」なので、選択手段５０は、「Ｅｒｒ２」を除き、「Ｅｒｒ２」を除いた項目「Ｅｒｒ３」、「Ｅｒｒ４」で最も優先順位が高い項目「Ｅｒｒ３」を選択し、選択結果を詳細情報表示手段６２に出力する。そして、詳細情報表示手段６２が、選択手段５０で選択された項目「Ｅｒｒ３」に関連するエラー／アラームの詳細な情報をデータメモリ３０から読み出し、表示画面７０の大きなウィンドウＷ２に拡大表示させる。
【００４１】
一方、データ処理部２０でエラー「Ｅｒｒ１」、「Ｅｒｒ２」、「Ｅｒｒ４」が検出され、その情報がデータメモリ３０に格納された場合を説明する。選択手段５０が、データメモリ３０から検出されたエラー「Ｅｒｒ１」、「Ｅｒｒ２」、「Ｅｒｒ４」を読み出し、順位記憶手段４０の優先順位を読み出す。さらに、マスク手段８０でマスクされた項目「Ｅｒｒ２」を読み出す。そして、選択手段５０は、マスク手段８０でマスクされた項目「Ｅｒｒ２」を除き、「Ｅｒｒ２」を除いた項目「Ｅｒｒ１」、「Ｅｒｒ４」で最も優先順位が高い項目「Ｅｒｒ１」を選択し、選択結果を詳細情報表示手段６２に出力する。そして、詳細情報表示手段６２が、選択手段５０で選択された項目「Ｅｒｒ１」に関連するエラー／アラームの詳細な情報をデータメモリ３０から読み出し、表示画面７０の大きなウィンドウＷ２に拡大表示させる。
その他の動作は図１に示す装置と同様なので説明を省略する。
【００４２】
このように、選択手段５０が、マスク手段８０でマスクされたエラー／アラームの項目を除いた項目の中から、最も優先順位が高い項目を選択し、選択した項目に関連するエラー／アラームの詳細な情報を詳細情報表示手段６２を介して表示画面７０に表示させる。これにより、例えば、通信回線や伝送装置が安定していない状態では、特定の項目のエラー／アラームが頻発することがあるが、これらの特定の項目のエラー／アラームを除くことで、本当に必要なエラー／アラームをユーザに確実に認識させることができる。従って、本当に必要であり、優先順位の高い項目名を、ユーザが選択する手間を省くことができ、通信回線や伝送装置の異常の認識を確実に効率的に行なうことができる。さらに、通信回線や伝送装置が異常となっている主原因を容易に認識することができる。
【００４３】
なお、本発明はこれに限定されるものではなく、以下に示すようなものでもよい。
（１）マスク手段８０が、マスクするエラー／アラームの項目を１個だけとする構成を示したが、マスクする個数は何個でもよい。
【００４４】
（２）図２において、エラー／アラームが２個検出される例を示したが、もちろん、何個検出されてもよい。
【００４５】
（３）詳細情報表示手段６２が、選択されたエラー／アラームに関する詳細な情報を、上側のウィンドウＷ２に表示する構成を示したが、ウィンドウＷ２でなく下側のウィンドウＷ３に表示させてもよい。
【００４６】
（４）表示処理部６０が、３個のウィンドウを表示画面７０に表示させる構成を示したが、ウィンドウを何個表示させてもよい。また、ウィンドウの配置もどのようにしてもよい。
【００４７】
（５）項目名表示手段６１、詳細情報表示手段６２が、エラーとアラームの両方を表示する構成を示したが、どちらか一方のみでもよい。
【図面の簡単な説明】
【００４８】
【図１】本発明の第１の実施例を示した構成図である。
【図２】図１に示す装置の表示画面７０の表示例を示した図である。。
【図３】本発明の第２の実施例を示した構成図である。
【図４】従来の装置の表示画面の表示例を示した図である。
【符号の説明】
【００４９】
４０  順位記憶手段
５０  選択手段
６１  項目名表示手段
６２  詳細情報表示手段
７０  表示画面
８０  マスク手段
【図１】
2010074326.tif 000003
【図３】
2010074326.tif 000004
【図４】
2010074326.tif 000005
【図２】
2010074326.tif 000006